(57)【要約】【課題】ブラスレスＤＣモータ制御装置において、モータに流れる電流によりモータが減磁して磁石の性質を失い、回転不良になることのない安定したトルク制御を行う、インバータ制御装置を供給すること。【解決手段】１ピストンロータリーコンプレッサ６の外郭温度検出手段１１により温度を検出し、モータに流れる電流値をその値から決定されるブラシレスＤＣモータ７の減磁電流値以下になるように、トルクゲインを設定するトルクゲイン設定手段１２を備える。【選択図】図１
2009148054.tif 000002
【特許請求の範囲】
【請求項１】
ブラシレスＤＣモータに連結された１ピストンロータリーコンプレッサと、スイッチング素子を含みスイッチング素子の開閉により直流電圧をＰＷＭ信号に基づき交流電圧に変換し前記ブラシレスＤＣモータに供給する直流交流変換手段と、前記ブラシレスＤＣモータの誘起電圧を検出する誘起電圧検出手段と、前記誘起電圧検出手段から出力される磁極位置情報に基づいて電圧波形を出力する電圧制御手段と、前記電圧波形を前記ＰＷＭ信号に変換するＰＷＭ制御手段とを有するブラシレスＤＣモータ制御装置において、前記１ピストンロータリーコンプレッサの回転負荷トルク変動に対して、前記ブラシレスＤＣモータのトルクゲインを前記１ピストンロータリーコンプレッサの外郭温度に基づき設定することを特徴とする１ピストンロータリーコンプレッサの制御装置。
【発明の詳細な説明】
【技術分野】
【０００１】
本発明は、１ピストンロータリーコンプレッサの制御の安定を目標としたインバータ制御装置に関するものである。
【背景技術】
【０００２】
ブラシレスＤＣモータの回転数制御するモータ制御装置として、従来１２０゜通電制御の方式（特許文献１参照）と、正弦波１８０゜通電制御（特許文献２、３参照）がある。
【０００３】
図３に示す従来のブラシレスＤＣモータ駆動装置によるモータ駆動においては、ブラシレスＤＣモータに印加される負荷トルクが小トルクのもとでは、ブラシレスＤＣモータは本来のトルク性能を発揮し、良好な速度制御性能と、かなりの速度脈動に対しても速度追従性がよく、十分な高速応答性を確保することが可能である。制御回路の構成とモータ運転プログラムも簡単なため、制御回路を含めたシステム全体の低コストが図れるという大きなメリットがある。
【特許文献１】特許第２６４２３５７号公報
【特許文献２】特開平７−２４５９８２号公報
【特許文献３】特開平７−３３７０７９号公報
【発明の開示】
【発明が解決しようとする課題】
【０００４】
しかしながら、ブラシレスＤＣモータが低速運転の時には、モータの騒音・振動が増加してくるため、トルクのゲイン量を大きく設定し、振動抑制を行うが、ゲインを大きくするとモータに流れる電流が増加してくる。一方、モータの磁石には減磁と呼ばれる現象があるため、減磁してしまう電流値を実使用上のＭＡＸ値として電流制御を行っている。
【０００５】
減磁すると磁石はその性質を失い、モータのインダクタンスＬｄ、Ｌｑが変わるため、そのインダクタンスで駆動データを調整しているモータは正常に回転しなかったり、最悪、起動すらしない場合がある。また、一旦減磁すると、自然に元に戻ることはない。
【０００６】
さらに、１ピストンロータリーコンプレッサの外郭温度により減磁電流値は変化する。しかし、最も減磁電流が低い電流値を実使用上のＤＣ電流のＭＡＸ値と設定しているため、使用環境下で最も騒音・振動に効果的なトルクのゲイン量になっていない。
【０００７】
本発明は、前記従来の課題を解決するもので、１ピストンロータリーコンプレッサの外郭温度検出手段によって検出された温度情報によりトルクゲイン量を調整してモータに流れる電流を制限し、モータが減磁することのない信頼性の高い１ピストンロータリーコンプレッサの制御装置を提供することを目的とする。
【課題を解決するための手段】
【０００８】
前記従来の課題を解決するために、本発明は、１ピストンロータリーコンプレッサの外郭温度検出手段を設け、その検出された値からトルクゲイン量を調整するものである。
【０００９】
これにより、ブラシレスＤＣモータ１が低速運転の時に増加する騒音・振動を抑制するトルクゲイン量が過剰になり、モータに流れる電流が大きくなった場合においても、モータが減磁することがない信頼性の高い１ピストンロータリーコンプレッサの制御装置を提供することができる。
【発明の効果】
【００１０】
１ピストンロータリーコンプレッサの外郭温度検出手段を設け、その検出された値に基づき、その時の使用環境下で最も騒音・振動に効果的なトルクゲイン量に調整して、モータを減磁させない信頼性の高い１ピストンロータリーコンプレッサの制御装置を提供することができる。
【発明を実施するための最良の形態】
【００１１】
第１の発明は、１ピストンロータリーコンプレッサの外郭温度検出手段を設け、その検出された値に基づきトルクゲイン量を調整して、モータに流れる電流を制限し、モータが減磁することのない信頼性の高い１ピストンロータリーコンプレッサの制御装置を提供することができる。
【００１２】
以下、本発明の実施の形態について、図面を参照しながら説明する。なお、この実施の形態によって本発明が限定されるものではない。
【００１３】
（実施の形態１）
図１は本発明の制御ブロック図、図２はその特性を示すグラフである。図１、図２を用いて本発明の第１の実施の形態を説明する。
【００１４】
図１において、従来例の図３の構成に１ピストンロータリーコンプレッサの外郭温度を検出するための温度検出手段１１を設け、その検出された温度情報に基づきトルクゲイン量を調整するトルクゲイン調整手段１２を有し、そのトルクゲイン調整量は電圧制御手段９へとフィードバックされる。
【００１５】
トルクゲイン調整手段１２では、１ピストンロータリーコンプレッサ外郭温度検出手段１１から得られる温度情報から決定されるモータの減磁電流値に基づき、トルクのゲイン量を調整する。図２のように、１ピストンロータリーコンプレッサのブラシレスＤＣモータの特性より、低温の時ほど減磁電流値は低く、高温になるほど、減磁電流値は高いため、高温になるにつれて、トルクのゲイン量を増加させていく。
【００１６】
このようにトルクのゲイン量を調整することで、モータの減磁による回転不具合を発生させることなく、使用環境下で最も効果的に騒音・振動を抑えることができ、安定した１ピストンロータリーコンプレッサのトルク制御運転を行うことができる。
【産業上の利用可能性】
【００１７】
この発明は、コンプレッサ（圧縮機）等に用いるＤＣブラシレスモータの減磁による性能劣化に伴う回転不良・起動不良を回避することが可能となるので、空気調和機や冷凍装置等の用途に適する。
【図面の簡単な説明】
【００１８】
【図１】本発明の実施の形態１における１ピストンロータリーコンプレッサの制御ブロック図
【図２】（ａ）本発明の実施の形態１における１ピストンロータリーコンプレッサの制御装置のトルクゲイン調整量の変化を示したグラフ、（ｂ）同、ブラシレスＤＣモータの減磁電流値の温度による変化を示したグラフ
【図３】従来の１ピストンロータリーコンプレッサの駆動制御ブロック図
【符号の説明】
【００１９】
１  交流電源
２  リアクタ
３  ダイオードブリッジ
４  マイコン
５  直流交流変換手段
６  １ピストンロータリーコンプレッサ
７  ブラシレスＤＣモータ
８  誘起電圧検出手段
９  電圧制御手段
１０  ＰＷＭ制御手段
１１  １ピストンロータリーコンプレッサ外郭温度検出手段
１２  トルクゲイン調整手段
【図１】
2009148054.tif 000003
【図２】
2009148054.tif 000004
【図３】
2009148054.tif 000005